(57)【要約】      （修正有）【課題】美観の向上を図ることができる真空断熱筐体を提供することを目的とする。【解決手段】真空断熱筐体１０は、第１主面４２、前記第１主面とは反対側にある第２主面４１、及び、前記第１主面と前記第２主面とを結ぶ側面を有する真空断熱材４０と、前記真空断熱材を内部空間に収容し、且つ、前記第１主面と対向する壁部分３３、及び、前記側面と対向する枠部分３４を有する内箱部３０と、前記内箱部の開口部を覆い、且つ、前記第２主面と対向する外箱部２０と、を備え、前記壁部分と前記枠部分とは、互いに異なる色であり、且つ互いに一体的に形成されている。【選択図】図３
2019015473.tif 000002
【特許請求の範囲】
【請求項１】
第１主面、前記第１主面とは反対側にある第２主面、及び、前記第１主面と前記第２主面とを結ぶ側面を有する真空断熱材と、
前記真空断熱材を内部空間に収容し、且つ、前記第１主面と対向する壁部分、及び、前記側面と対向する枠部分を有する内箱部と、
前記内箱部の開口部を覆い、且つ、前記第２主面と対向する外箱部と、を備え、
前記壁部分と前記枠部分とは、互いに異なる色であり、且つ互いに一体的に形成されている、真空断熱筐体。
【請求項２】
第１主面、前記第１主面とは反対側にある第２主面、及び、前記第１主面と前記第２主面とを結ぶ側面を有する真空断熱材と、
前記真空断熱材を内部空間に収容し、且つ、前記第１主面と対向する壁部分、及び、前記側面と対向する枠部分を有する内箱部と、
前記内箱部の開口部を覆い、且つ、前記第２主面と対向する外箱部と、を備え、
前記壁部分と前記枠部分とは、互いに異なる色であり、且つ接合部材を介して一体化されている、真空断熱筐体。
【請求項３】
第１主面、前記第１主面とは反対側にある第２主面、及び、前記第１主面と前記第２主面とを結ぶ側面を有する真空断熱材と、
前記真空断熱材を内部空間に収容し、且つ、前記第１主面と対向する壁部分、及び、前記側面と対向する枠部分を有する内箱部と、
前記内箱部の開口部を覆い、且つ、前記第２主面と対向する外箱部と、
前記枠部分を被覆する枠体と、を備えている、真空断熱筐体。
【請求項４】
前記真空断熱材は、芯材と、開口部を有する凹状を成して内部空間に前記芯材を収容する凹状部材と、前記凹状部材の開口部を覆う封止部材と、を備え、
前記凹状部材の前記開口部の縁部には、当該開口部の開口面に沿って外方へ張り出すフランジが形成され、前記封止部材は周縁部にて前記フランジと接合されており、
前記枠部分は、前記フランジと前記封止部材との接合部を収容する収容部を有している、請求項１〜３のいずれか一項に記載の真空断熱筐体。
【請求項５】
第１主面、前記第１主面とは反対側にある第２主面、及び、前記第１主面と前記第２主面とを結ぶ側面を有する真空断熱材と、
前記真空断熱材を内部空間に収容し、且つ、前記第１主面と対向する第１壁部分、及び、前記側面と対向する第１枠部分を有する内箱部と、
前記内箱部の開口部を覆う外箱部と、を備え、
前記外箱部は、前記第２主面と対向する第２壁部分、及び、前記第１枠部分を覆い、且つ、前記第２壁部分と一体的に形成されている第２枠部分を有している、真空断熱筐体。
【請求項６】
前記真空断熱材は、芯材と、開口部を有する凹状を成して内部空間に前記芯材を収容する凹状部材と、前記凹状部材の開口部を覆う封止部材と、を備え、
前記凹状部材の前記開口部の縁部には、当該開口部の開口面に沿って外方へ張り出すフランジが形成され、前記封止部材は周縁部にて前記フランジと接合されており、
前記第１枠部分は、前記フランジと前記封止部材との接合部を収容する収容部を有している、請求項５に記載の真空断熱筐体。
【請求項７】
請求項１〜６のいずれかの真空断熱筐体を備えている、冷蔵庫。
【発明の詳細な説明】
【技術分野】
【０００１】
本発明は、真空断熱筐体及び冷蔵庫に関する。
【背景技術】
【０００２】
従来、真空断熱材を備える真空断熱筐体を用いた例として、例えば、特許文献１に示す冷蔵庫が知られている。この冷蔵庫は、前面が開口する断熱箱体、及び、断熱箱体の開口を塞ぐ引き出し式の第１の冷凍室扉などを備えている。第１の冷凍室扉は、扉外板と扉内板との間に真空断熱材を挟んで構成されている。
【先行技術文献】
【特許文献】
【０００３】
【特許文献１】特開２０１６−０２８２２３号公報
【発明の概要】
【発明が解決しようとする課題】
【０００４】
上記特許文献１の第１の冷凍室扉では、扉外板と扉内板とを繋ぐ枠板がこれらとは別に設けられている。よって、美観向上の観点から、第１の冷凍庫扉が引き出された際に外に現れる枠板の色を、外に常に露出している扉外板の色と合わせて容易に形成することができる。しかしながら、例えば、扉内板及び枠板により内箱が形成されている場合等には、枠板の色を扉内箱の色と異なる扉外箱に合わせることが困難である。
【０００５】
本発明は、上記課題を鑑みてなされたものであり、美観の向上を図ることができる真空断熱筐体を提供することを目的とする。
【課題を解決するための手段】
【０００６】
本発明の第１態様に係る真空断熱筐体は、第１主面、前記第１主面とは反対側にある第２主面、及び、前記第１主面と前記第２主面とを結ぶ側面を有する真空断熱材と、前記真空断熱材を内部空間に収容し、且つ、前記第１主面と対向する壁部分、及び、前記側面と対向する枠部分を有する内箱部と、前記内箱部の開口部を覆い、且つ、前記第２主面と対向する外箱部と、を備え、前記壁部分と前記枠部分とは、互いに異なる色であり、且つ互いに一体的に形成されている。この構成によれば、例えば、内箱部の枠部分を外箱部と同系色に合わせることができ、これらにより外面及び側面が構成される真空断熱筐体の美観の向上を図ることができる。
【０００７】
本発明の第２態様に係る真空断熱筐体は、第１主面、前記第１主面とは反対側にある第２主面、及び、前記第１主面と前記第２主面とを結ぶ側面を有する真空断熱材と、前記真空断熱材を内部空間に収容し、且つ、前記第１主面と対向する壁部分、及び、前記側面と対向する枠部分を有する内箱部と、前記内箱部の開口部を覆い、且つ、前記第２主面と対向する外箱部と、を備え、前記壁部分と前記枠部分とは、互いに異なる色であり、且つ接合部材を介して一体化されている。この構成によれば、例えば、内箱部の枠部分を外箱部と同系色に合わせることができ、これらにより外面及び側面が構成される真空断熱筐体の美観の向上を図ることができる。
【０００８】
本発明の第３態様に係る真空断熱筐体は、第１主面、前記第１主面とは反対側にある第２主面、及び、前記第１主面と前記第２主面とを結ぶ側面を有する真空断熱材と、前記真空断熱材を内部空間に収容し、且つ、前記第１主面と対向する壁部分、及び、前記側面と対向する枠部分を有する内箱部と、前記内箱部の開口部を覆い、且つ、前記第２主面と対向する外箱部と、前記枠部分を被覆する枠体と、を備えている。この構成によれば、例えば、内箱部の枠部分を被覆する枠体と外箱部とを同系色に合わせることができ、これらにより外面及び側面が構成される真空断熱筐体の美観の向上を図ることができる。
【０００９】
本発明の第４態様に係る真空断熱筐体は、第１〜３のいずれかの態様において、前記真空断熱材は、芯材と、開口部を有する凹状を成して内部空間に前記芯材を収容する凹状部材と、前記凹状部材の開口部を覆う封止部材と、を備え、前記凹状部材の前記開口部の縁部には、当該開口部の開口面に沿って外方へ張り出すフランジが形成され、前記封止部材は周縁部にて前記フランジと接合されており、前記枠部分は、前記フランジと前記封止部材との接合部を収容する収容部を有していてもよい。
【００１０】
この構成によれば、フランジと封止部材との接合部を収容部の周囲の枠部分が被覆することにより、外力等から接合部を保護することができる。このため、外力等による接合部の破損及び剥離等が防げ、真空断熱材の断熱性能の低下を低減することができる。
【００１１】
本発明の第５態様に係る真空断熱筐体は、第１主面、前記第１主面とは反対側にある第２主面、及び、前記第１主面と前記第２主面とを結ぶ側面を有する真空断熱材と、前記真空断熱材を内部空間に収容し、且つ、前記第１主面と対向する第１壁部分、及び、前記側面と対向する第１枠部分を有する内箱部と、前記内箱部の開口部を覆う外箱部と、を備え、前記外箱部は、前記第２主面と対向する第２壁部分、及び、前記第１枠部分を覆い、且つ、前記第２壁部分と一体的に形成されている第２枠部分を有している。
【００１２】
この構成によれば、例えば、外箱部の第２枠部分は、内箱部の第２枠部分を被覆し、外箱部の第２壁部分と一体的に形成されている。このため、これらにより外面及び側面が構成される真空断熱筐体の美観の向上を図ることができる。
【００１３】
本発明の第６態様に係る真空断熱筐体は、第５の態様において、前記真空断熱材は、芯材と、開口部を有する凹状を成して内部空間に前記芯材を収容する凹状部材と、前記凹状部材の開口部を覆う封止部材と、を備え、前記凹状部材の前記開口部の縁部には、当該開口部の開口面に沿って外方へ張り出すフランジが形成され、前記封止部材は周縁部にて前記フランジと接合されており、前記第１枠部分は、前記フランジと前記封止部材との接合部を収容する収容部を有していてもよい。
【００１４】
この構成によれば、フランジと封止部材との接合部を収容部の周囲の枠部分が被覆することにより、外力等から接合部を保護することができる。このため、外力等による接合部の破損及び剥離等が防げ、真空断熱材の断熱性能の低下を低減することができる。
【００１５】
本発明の第7態様に係る冷蔵庫は、第１〜６のいずれかの態様の真空断熱筐体を備えている。この構成によれば、真空断熱筐体を備える冷蔵庫の美観の向上を図ることができる。
【００１６】
本発明の上記目的、他の目的、特徴、及び利点は、添付図面参照の下、以下の好適な実施の形態の詳細な説明から明らかにされる。
【発明の効果】
【００１７】
本発明の真空断熱筐体及び冷蔵庫によれば、美観の向上を図ることができる。
【図面の簡単な説明】
【００１８】
【図１】図１は、本実施の形態１に係る真空断熱筐体を備える引き出し扉を正面側から視た斜視図である。
【図２】図２は、図１に示す引き出し扉を背面側から視た斜視図である。
【図３】図３は、図１に示す真空断熱筐体を示す分解断面図である。
【図４】図４は、図１に示す真空断熱筐体、ガスケット、フレーム及びビスを示す断面図である。
【図５】図５は、本実施の形態２に係る真空断熱筐体を示す分解断面図である。
【図６】図６は、図５の真空断熱筐体を示す断面図である。
【図７】図７は、本実施の形態３に係る真空断熱筐体を示す分解断面図である。
【図８】図８は、図７の真空断熱筐体を示す断面図である。
【図９】図９は、本実施の形態４に係る真空断熱筐体を示す分解斜視図である。
【図１０】図１０は、図９の真空断熱筐体を示す分解断面図である。
【図１１】図１１（ａ）は、図９の真空断熱筐体を正面側から視た斜視図である。図１１（ｂ）は、図９の真空断熱筐体を背面側から視た斜視図である。
【図１２】図１２（ａ）は、図１１（ａ）のＡ−Ａ線に沿って切断した真空断熱筐体の断面図である。図１２（ｂ）は図１２（ａ）の部分拡大図である。
【図１３】図１３（ａ）は、図１１（ａ）のＢ−Ｂ線に沿って切断した真空断熱筐体の断面図である。図１３（ｂ）は図１３（ａ）の部分拡大図である。
【発明を実施するための形態】
【００１９】
以下、本発明の実施の形態について、図面を参照しながら説明する。なお、全ての図面において、同一又は相当部分には同一符号を付し、重複する説明は省略する場合がある。また、全ての図面において、本発明を説明するための構成要素を抜粋して図示しており、その他の構成要素については図示を省略する場合がある。さらに、以下の実施の形態によって本発明が限定されるものではない。
【００２０】
（実施の形態１）
以下、本実施の形態１に係る真空断熱筐体１０の一例について、図１〜図４を参照しながら説明する。以下、真空断熱筐体１０を冷蔵庫（図示せず）の引き出し扉１１に適用した場合について説明するが、真空断熱筐体１０はこれに限定されない。
【００２１】
［引き出し扉の構成］
引き出し扉１１は、図１及び図２に示すように、真空断熱筐体１０、ガスケット１２及びフレーム１３を備え、冷蔵庫の本体の正面開口に引き出し可能に設けられている。真空断熱筐体１０はケースを有し、ケースは外箱部２０及び内箱部３０により構成されている。外箱部２０の外面は、冷蔵庫の本体の正面開口から常に外部に現れる真空断熱筐体１０の外面を構成している。
【００２２】
内箱部３０は、壁部分（第１壁部分３３）及び枠部分（第１枠部分３４）を有している。第１壁部分３３の外面は、冷蔵庫の本体の内部空間（庫内）に現れる真空断熱筐体１０の内面を構成し、この外面に溝部３１が設けられている。この溝部３１にガスケット１２が嵌められることにより、ガスケット１２が内箱部３０に取り付けられている。また、内箱部３０の外面にビス１４などの固定具によりフレーム１３などの装着部材が固定されている。
【００２３】
真空断熱筐体１０は、図３に示すように、外箱部２０、真空断熱材４０及び内箱部３０を有している。外箱部２０は、矩形の平板形状であって、ガラス板等により形成されている。
【００２４】
真空断熱材４０は、第１主面４２、第２主面４１、及び側面４３を有している。第１主面４２は、内箱部３０の第１壁部分３３の内面と対向し、溝部３１等の第１壁部分３３の凹凸に沿った形状を有している。第２主面４１は、第１主面４２とは反対側にある面であって、平らに形成されており、外箱部２０の内面と対向する。側面４３は第２主面４１と第１主面４２とを結ぶ面である。
【００２５】
真空断熱材４０は、芯材４４と、芯材４４を被覆する被覆材とから成り、内部が減圧密封されている。例えば、被覆材は、例えば、凹状部材４６及び封止部材４５から構成されており、この内部空間に、芯材４４と吸着剤４７が配置されている。真空断熱材４０は、当該内部空間が所定の真空度になるように構成されている。
【００２６】
封止部材４５は、矩形状のフィルムである。凹状部材４６は、本体４６ｂ及びフランジ４６ｃを有している。本体４６ｂは、開口部（第２開口部）を有する凹状であって、内部空間に芯材４４を収容する。本体４６ｂの外面は、内箱部３０の内面に沿った形状を有している。
【００２７】
フランジ４６ｃは、第２開口部の縁部に、第２開口部の開口面に沿った外方へ張り出している。このフランジ４６ｃが封止部材４５の周縁部と熱溶着等により接合されて、第２開口部が封止部材４５により封止される。このフランジ４６ｃにより封止部材４５が面状に圧接可能となっているため、封止部材４５と凹状部材４６の間で強固なシールが可能となる。
【００２８】
芯材４４は、連続気泡ウレタンフォーム、ガラス繊維、ロックウール、アルミナ繊維、又はポリエチレンテレフタレート繊維等で構成されている。連続気泡ウレタンフォームは、例えば、特許第５３１０９２８号に開示されている特徴を有するものであってもよい。吸着剤４７としては、水分を吸着除去する水分吸着剤と大気ガス等のガスを吸着する気体吸着剤が挙げられる。吸着剤４７は、芯材４４に設けられた穴部に嵌められる。この吸着剤４７が芯材４４の穴部に嵌められた状態で、これらは凹状部材４６の内面（内部空間）と同一形状に形成されていている。
【００２９】
内箱部３０は、樹脂製であって、正面に開口する箱形状であって、開口部（第１開口部）を有する。内箱部３０は、第１壁部分３３及び第１枠部分３４により取り囲まれる内部空間を備え、この内部空間に真空断熱材４０を収容する。第１壁部分３３は、例えば、白色等の外箱部２０と異なる色であって、外縁が矩形状であり、中央部分が周縁部分よりも突出した段状に形成されていている。この周縁部分には溝部３１が設けられ、中央部分には凹部３５、突出部３７及び突起３６が設けられている。
【００３０】
溝部３１は、内箱部３０の内部空間側に窪んで、第１壁部分３３の外面上において第１壁部分３３の外周に沿って矩形の環状に延び、第１壁部分３３の中央部分を取り囲む。凹部３５は内箱部３０の内部空間側に窪み、凹部３５内に突出部３７が設けられる。突出部３７は内箱部３０の内部空間側の反対側に突出し、突出部３７に挿通孔３７ａが形成されている。挿通孔３７ａには、ビス１４のねじ山が嵌る螺旋状の溝が形成されている。突起３６は、凹部３５の周囲に設けられ、第１壁部分３３の外面から内部空間側の反対側に突出する。
【００３１】
第１枠部分３４と第１壁部分３３とは、例えば、同じ樹脂材料のＡＢＳ樹脂から成り、互いに一体的に形成されている。例えば、第１枠部分３４は、第１壁部分３３の色と異なり、外箱部２０の色と同系色である。同系色は、同色及びこれに近似する色を含む。
【００３２】
第１枠部分３４は、第１壁部分３３の外周から立ち上がる筒形状であって、先端側開口が内箱部３０の第１開口部を構成する。第１枠部分３４は、基端側開口が第１壁部分３３により覆われるように、基端が第１壁部分３３の外縁と繋がり、第１壁部分３３と互いに一体的に形成されている。このため、第１壁部分３３と第１枠部分３４との結合強度が高い上、これらの間に隙間及び接続部分が目立たずに引き出し扉１１の意匠性の低下が抑制される。
【００３３】
第１枠部分３４には収容部３４ａが設けられており、収容部３４ａは、内箱部３０の第１開口部の縁に沿って環状に形成されている。収容部３４ａは、例えば、第１枠部分３４の内面から窪む第１面３４ａ１、及び、第１枠部分３４の先端から窪む第２面３４ａ２を有し、これらにより段状に形成されている。収容部３４ａが第１枠部分３４に形成されているため、第１枠部分３４の厚み（内面と外面との寸法）は第１壁部分３３の厚み（内面と外面との寸法）以上に設定されていてもよい。
【００３４】
収容部３４ａの第１面３４ａ１は、内側に外箱部２０の端部、及び、真空断熱材４０のフランジ４６ｃと封止部材４５との接合部４８が嵌るように、これらの外縁の寸法より少し大きく形成されている。第１枠部分３４の先端と収容部３４ａの第２面３４ａ２との間の寸法は、接合部４８の厚み以上であり、外箱部２０と接合部４８との合計厚み以下である。これにより、外箱部２０の端面の少なくとも一部、及び接合部４８の端面が第１枠部分３４により被覆される。
【００３５】
よって、外箱部２０が外力から保護されるため、外力による外箱部２０の破損がなく、この破損による真空断熱筐体１０の意匠の低下が抑制される。また、接合部４８が外力から保護されるため、外力による接合部４８の破損及び剥離がなく、これらによる真空断熱材４０の断熱性能の低下を抑制することができる。
【００３６】
真空断熱筐体１０では、図４に示すように、外箱部２０は、内箱部３０の第１開口部を塞ぐように内箱部３０に取り付けられ、内箱部３０及び外箱部２０により構成されるケースの内部空間が封鎖されている。この内部空間に真空断熱材４０が収容されている。真空断熱材４０は、内箱部３０の内面及び外箱部２０の内面に対向し、これらに沿った形状を有し、これらに接している。これにより、ケースの内部空間は、真空断熱材４０により充填されているため、真空断熱材４０よりも熱伝導率が高い別の断熱材を用いる必要がなく、真空断熱筐体１０の断熱性能の向上を図ることができる。
【００３７】
また、外箱部２０の端部及び真空断熱材４０のフランジ４６ｃと封止部材４５との接合部４８が内箱部３０の第１枠部分３４の収容部３４ａに嵌り、外箱部２０及び接合部４８の各端面が第１枠部分３４により覆われる。このため、内箱部３０の第１開口部と外箱部２０との間の外部に通じる隙間と、内箱部３０の内部空間との間がラビリンス構造になる。
【００３８】
また、外箱部２０、フランジ４６ｃ及び内箱部３０が接着剤等により接合されている。このため、隙間から内箱部３０の内部空間に水分及び誇り等の異物の侵入が低減され、異物による真空断熱筐体１０の意匠の低下が抑制される。
【００３９】
さらに、真空断熱筐体１０の側面を構成する第１枠部分３４は、真空断熱筐体１０の外面を構成する外箱部２０と同系色に形成され、外箱部２０の端面を覆った状態で外箱部２０と接続している。このため、引き出し扉１１が冷蔵庫の本体から引き出された際に外部に現れる真空断熱筐体１０の外面及び側面は、第１枠部分３４及び外箱部２０により連続的に見え、引き出し扉１１の意匠性が向上する。
【００４０】
なお、上記構成では、第１枠部分３４と第１壁部分３３とを同じ材料で形成したが、これらを互いに異なる材料で形成してもよい。これにより、第１枠部分３４と第１壁部分３３との選択の自由度が増加する。よって、これらにより側面及び内面が構成される真空断熱筐体１０の意匠性の向上をさらに図ることができる。
【００４１】
［引き出し扉の製造方法］
次に、引き出し扉１１の製造方法について、図１〜図４を参照して説明する。まず、図３に示すように、多層シートを真空成形等により、内箱部３０の内面（内部空間）と同一形状になるように加工して、第２開口部を有する箱状の凹状部材４６を製造する。また、連続気泡ウレタンフォームをモールド成形する、又は、ガラス繊維等を加熱圧縮成型することにより、凹状部材４６の内部空間と同一形状を有する芯材４４を製造する。
【００４２】
次に、凹状部材４６の内部空間に、芯材４４及び吸着剤４７を配置し、凹状部材４６の第２開口部を封止部材４５により覆って密閉する。この際、凹状部材４６のフランジ４６ｃと封止部材４５の周縁部とを熱圧着させて、凹状部材４６の第２開口部を密閉する。そして、凹状部材４６の内部空間を凹状部材４６の貫通孔（図示せず）から真空引きする。凹状部材４６の内部空間が、所定の真空度になると、凹状部材４６の貫通孔を封止部材（図示せず）より封止して、図４に示す真空断熱材４０を形成する。
【００４３】
また、第１枠部分３４が外箱部２０の色と同系色になり、第１壁部分３３が第１枠部分３４の色と異なる色（例えば、白色）になるように、内箱部３０を二色成形及びインサート成形等により形成する。この二色成形によって、第１壁部分３３及び第１枠部分３４が成形されると同時に、これらの間が熱溶着される。このため、結合強度が高い上、これらの接合作業等の後工程がなく、コストダウンが図られる。
【００４４】
そして、真空断熱材４０のフランジ４６ｃと封止部材４５との接合部４８が内箱部３０の収容部３４ａに嵌るようにして、内箱部３０の内部空間に真空断熱材４０を配置し、真空断熱材４０と内箱部３０を接着剤等により接合する。また、ガラス板等を適宜な大きさに切断する等して、外箱部２０を製造し、外箱部２０の端部が内箱部３０の収容部３４ａに嵌るようにして、内箱部３０の内部空間に外箱部２０を配置する。この外箱部２０と内箱部３０及び真空断熱材４０とを接着剤等により接合し、内箱部３０の第１開口部を外箱部２０により閉鎖する。これにより、真空断熱筐体１０が形成される。
【００４５】
真空断熱筐体１０の内箱部３０の溝部３１にガスケット１２を嵌めて取り付ける。また、内箱部３０にフレーム１３をビス１４でねじ止めする。この際、フレーム１３の第１貫通孔１６に内箱部３０の突起３６を挿入し、フレーム１３と内箱部３０とを位置決めする。これにより、フレーム１３の第２貫通孔１７と突出部３７の挿通孔３７ａが連続し、この挿通孔３７ａにビス１４を挿入して締結することにより、フレーム１３を内箱部３０に固定する。こうして、フレーム１３が真空断熱筐体１０に装着されて、引き出し扉１１が製造される。
【００４６】
（実施の形態２）
実施の形態２に係る真空断熱筐体１０では、図５及び図６に示すように、内箱部３０の枠部分（第１枠部分１３４）と壁部分（第１壁部分３３）とは例えば、同じ樹脂材料のＡＢＳ樹脂から成り、接合部材１３０を介して一体化されている。
【００４７】
具体的には、第１枠部分１３４は、樹脂製の筒形状であって、第１壁部分３３とは別に射出成型等により形成される。第１枠部分１３４は、第１壁部分３３の外縁から立ち上がるように、基端が第１壁部分３３の外縁に接着剤等の接合部材１３０により接合されている。これにより、第１枠部分１３４及び第１壁部分３３が一体化されて、箱状の内箱部３０が形成される。
【００４８】
この内箱部３０において、第１枠部分１３４は、第１壁部分３３の外縁を覆うようにこの外縁に接合部材１３０により接合する。このため、接合部材１３０は、第１壁部分３３側であって、庫内側の真空断熱筐体１０の内面に位置する。これにより、接合部材１３０がユーザから目立たずに引き出し扉１１の意匠性の低下が抑制される。
【００４９】
また、例えば、第１枠部分１３４は、第１壁部分３３と異なる色であって、外箱部２０の色と同系色に形成される。また、第１枠部分１３４の収容部３４ａに外箱部２０の端部及び真空断熱材４０のフランジ４６ｃと封止部材４５との接合部４８が嵌り、第１枠部分１３４が外箱部２０及び接合部４８の各端面を覆う。これにより、真空断熱筐体１０の側面を構成する第１枠部分１３４と、真空断熱筐体１０の外面を構成する外箱部２０とは、連続的に見え、意匠性が向上する。
【００５０】
さらに、なお、上記構成では、第１枠部分１３４と第１壁部分３３とを同じ材料で形成したが、これらを互いに異なる材料で形成してもよい。これにより、第１枠部分１３４と第１壁部分３３の選択の自由度が増加する。よって、これらにより側面及び内面が構成される真空断熱筐体１０の意匠性の向上をさらに図ることができる。
【００５１】
（実施の形態３）
実施の形態３に係る真空断熱筐体１０は、図７及び図８に示すように、枠部分（第１枠部分２３４）を被覆する枠体５０と、を備えている。
【００５２】
具体的には、内箱部３０は、第１壁部分３３及び第１枠部分２３４を有し、これらは互いに同じ材料であって、例えば、互いに同系色で一体的に形成されている。第１枠部分２３４には、第１収容部３４ｂが設けられている。第１収容部３４ｂは、第１枠部分２３４の内面及び先端から窪んで形成され、内箱部３０の第１開口部に沿って環状に形成されている。第１収容部３４ｂは、例えば、第１枠部分２３４の内面から窪む第１面３４ｂ１、及び、第１枠部分２３４の先端から窪む第２面３４ｂ２を有し、これらにより段状に形成されている。第１収容部３４ｂが第１枠部分２３４に形成されているため、第１枠部分２３４の厚み（内面と外面との寸法）は第１壁部分３３の厚み（内面と外面との寸法）以上に設定されていてもよい。
【００５３】
第１収容部３４ｂの第１面３４ｂ１は、その内側に真空断熱材４０のフランジ４６ｃと封止部材４５との接合部４８が嵌るように、これらの外縁の寸法より少し大きく形成されている。第１枠部分２３４の先端と第１収容部３４ｂの第２面３４ｂ２と間の寸法は、フランジ４６ｃの厚みと等しい又はほぼ等しい。よって、接合部４８が外力から保護されるため、外力による接合部４８の破損及び剥離がなく、これらによる真空断熱材４０の断熱性能の低下を抑制することができる。
【００５４】
枠体５０は、筒形状であって、内面が第１枠部分２３４の外面に沿った寸法及び形状を有している。例えば、第１枠部分２３４の外面が先端から基端に向かって内側に傾斜している場合、枠体５０の内面は先端から基端に向かって内側に傾斜する。このため、第１枠部分２３４の外面の寸法が先端から基端に向かって小さくなるように傾斜している場合、枠体５０の内面の寸法は先端から基端に向かって小さくなるように傾斜する。このため、枠体５０の内側に内箱部３０を嵌めると、枠体５０が第１枠部分２３４の外面を覆い、内面が第１枠部分２３４の外面に対向して接する。
【００５５】
枠体５０には、第２収容部５０ａが設けられている。第２収容部５０ａは、枠体５０の内面及び先端から窪んで形成され、枠体５０の先端側開口に沿って環状に形成されている。第２収容部５０ａは、例えば、枠体５０の内面から窪む第１面５０ａ１、及び、枠体５０の先端から窪む第２面５０ａ２を有し、これらにより段状に形成されている。
【００５６】
第２収容部５０ａの第１面５０ａ１は、その内側に外箱部２０が嵌るように、この外縁の寸法より少し大きく形成されている。枠体５０の先端から第２収容部５０ａの間の第２面５０ａ２の間の寸法は、外箱部２０の厚みと等しい又はほぼ等しい。このため、外箱部２０が外力から保護されるため、外力による外箱部２０の破損がなく、この破損による真空断熱筐体１０の意匠の低下が抑制される。
【００５７】
枠体５０は、第２収容部５０ａに嵌る外箱部２０の端部、並びに、内側に収容される内箱部３０の第１枠部分２３４の外面及び第１壁部分３３の外縁を覆い、真空断熱筐体１０の側面を構成する。この枠体５０は、枠体５０は、樹脂製であって、例えば、外箱部２０の色と同系色に射出成型等により形成されている。これにより、真空断熱筐体１０の側面を構成する枠体５０と、真空断熱筐体１０の外面を構成する外箱部２０とは、連続的に見え、意匠性が向上する。
【００５８】
また、枠体５０の基端は、第１壁部分３３の外面と面一になり、真空断熱筐体１０の庫内側に位置する。このため、第１壁部分３３と枠体５０との接合部分は庫内側に設けられ、ユーザから目立たずに引き出し扉１１の意匠性の低下が抑制される。
【００５９】
さらに、枠体５０を第１壁部分３３と異なる材料で形成することができ、これらの選択の自由度が増加する。よって、これらにより側面及び内面が構成される真空断熱筐体１０の意匠性の向上をさらに図ることができる。
【００６０】
（実施の形態４）
実施の形態４に係る真空断熱筐体１０は、図９及び図１０に示すように、外箱部２０、内箱部３０及び真空断熱材４０を備えている。内箱部３０は、本体３０ａ、第１キャップ３８、第２キャップ３９を有している。
【００６１】
真空断熱材４０では、側面４３が４つの面（第１側面４３ａ、第２側面４３ｂ、第３側面４３ｃ、第４側面４３ｄ）を有している。第１側面４３ａ及び第２側面４３ｂは、真空断熱材４０の長手方向に延び、互いに平行に設けられている。第３側面４３ｃ及び第４側面４３ｄは、第１側面４３ａ及び第２側面４３ｂに交差又は直交する方向に延び、互いに平行に設けられている。
【００６２】
外箱部２０は、壁部分（第２壁部分２１）、２つの枠部分（第２枠部分２２）及び２つの端部分（第２端部分２３）を有し、これらは、例えば、鋼板等の金属板を屈曲させる等により形成される。このため、第２壁部分２１、第２枠部分２２及び第２端部分２３は互いに一体的に形成されている。
【００６３】
第２壁部分２１は、矩形の平板形状であって、４つの側辺（第１側辺２１ａ、第２側辺２１ｂ、第３側辺２１ｃ、第４側辺２１ｄ）を有している。第１側辺２１ａ及び第２側辺２１ｂは、第２壁部分２１の長手方向に延び、互いに平行に設けられている。第３側辺２１ｃ及び第４側辺２１ｄは、第１側辺２１ａ及び第２側辺２１ｂに交差又は直交する方向に延び、互いに平行に設けられている。
【００６４】
２つの第２枠部分２２は、第２壁部分２１の第３側辺２１ｃ及び第４側辺２１ｄからそれぞれ曲がり、第２壁部分２１に対して交差又は直交する方向に延びる。第２端部分２３は、第２枠部分２２の端から曲がり、第２壁部分２１に平行であって第２枠部分２２に交差又は直交する方向に延びる。
【００６５】
内箱部３０の本体３０ａは、第１壁部分３３及び２つの第１枠部分３３４を有し、これらは、互いに同じ材料であって、例えば互いに同系色で、一体的に射出成型等により形成されている。第１壁部分３３の外縁は矩形の板形状であって、４つの側辺（第１側辺３３ａ、第２側辺３３ｂ、第３側辺３３ｃ、第４側辺３３ｄ）を有している。第１側辺３３ａ及び第２側辺３３ｂは、第２壁部分２１の長手方向に延び、互いに平行に設けられている。第３側辺３３ｃ及び第４側辺３３ｄは、第１側辺３３ａ及び第２側辺３３ｂに交差又は直交する方向に延び、互いに平行に設けられている。２つの第１枠部分３３４は、略板形状であって、第１壁部分３３の第３側辺３３ｃ及び第４側辺３３ｄのそれぞれから曲がり、第２壁部分２１に対して交差又は直交する方向に延びる。
【００６６】
内箱部３０の第１キャップ３８及び第２キャップ３９は、樹脂製の長尺部材であって、長手方向の寸法は外箱部２０の長手方向の寸法と同じである。第１キャップ３８は長手方向に延びる第１先端３８ａ及び第１基端３８ｂを有し、第２キャップ３９は長手方向に延びる第２先端３９ａ及び第２基端３９ｂを有している。
【００６７】
第１キャップ３８は、第１先端３８ａより直線状に延びてから第１基端３８ｂに向かって曲がり、この第１曲部３８ｃの外面は緩やかに湾曲する。第２キャップ３９は、第２先端３９ａより直線状に延びてから第２基端３９ｂに向かって曲がり、この第２曲部３９ｃの外面は緩やかに湾曲する。第１曲部３８ｃ及び第２曲部３９ｃの内面は、真空断熱材４０の湾曲する角部に沿って湾曲する。
【００６８】
図１１（ａ）及び図１１（ｂ）に示すように、第１キャップ３８が外箱部２０の第２壁部分２１の第１側辺２１ａ（図９）を覆い、第２キャップ３９が第２壁部分２１の第２側辺２１ｂ（図９）を覆っている。これにより、外箱部２０、本体３０ａ、第１キャップ３８及び第２キャップ３９によりケースが形成され、このケースの中に真空断熱材４０（図９）が収容されている。
【００６９】
図１２（ａ）及び図１２（ｂ）に示すように、ケースの内部空間に真空断熱材４０が充填されている。ケースの外箱部２０の第２壁部分２１が真空断熱材４０の第２主面４１と対向してこれを覆い、内箱部３０の第１壁部分３３が真空断熱材４０の第１主面４２を覆う。また、第１キャップ３８が真空断熱材４０の第１側面４３ａを覆い、第２キャップ３９が真空断熱材４０の第２側面４３ｂを覆う。
【００７０】
第１キャップ３８の内面には、この内面から窪む溝状の収容部３８ｄが設けられている。収容部３８ｄは、第１先端３８ａに沿って直線状に延び、この延伸方向に直交する断面がコの字形状である。収容部３８ｄは、外箱部２０の端部、真空断熱材４０のフランジ４６ｃと封止部材４５との接合部４８を第１先端３８ａ側の内面と第２基端５２側内面との間に収容する。これにより、外箱部２０、真空断熱材４０及び第１キャップ３８が接続する。なお、第２キャップ３９は、第１キャップ３８と同様に収容部３９ｄが設けられ、外箱部２０及び真空断熱材４０と接続する。
【００７１】
このように、収容部３８ｄ及び３９ｄに外箱部２０が収容されることにより、外箱部２０が外力から保護されるため、外力による外箱部２０の破損がなく、この破損による真空断熱筐体１０の意匠の低下が抑制される。また、収容部３８ｄ及び３９ｄに接合部４８が収容されることにより、接合部４８が外力から保護されるため、外力による接合部４８の破損及び剥離がなく、これらによる真空断熱材４０の断熱性能の低下を抑制することができる。
【００７２】
第１キャップ３８の第１基端３８ｂに第１係合部が設けられている。第１係合部は、例えば、段差を有する切り欠き形状であって、第１基端３８ｂに沿って延びる。本体３０ａの第１壁部分３３の第１側辺３３ａに、第１係合部と係合する第２係合部が設けられている。第２係合部は、例えば、段差を有する切り欠き形状であって、第１壁部分３３の第１側辺３３ａに沿って延びる。第１係合部と第２係合部とが突き合わされて嵌り合い、接着剤等により接合される。この段差により、第１キャップ３８と本体３０ａとの間に大きな接着面が確保されるため、第１キャップ３８と本体３０ａとを強固に接続することができる。なお、第２キャップ３９は、第１キャップ３８と同様に、本体３０ａと接続する。
【００７３】
このように、本体３０ａと第１キャップ３８及び第２キャップ３９とが接続することにより、内箱部３０が形成される。このうち、第１キャップ３８及び第２キャップ３９は、第１枠部分３３４と共に、第１壁部分３３の外周から立ち上がる筒形状の内箱部３０の枠部分として機能する。この２つの第１枠部分３３４、第１キャップ３８及び第２キャップ３９により囲まれた内箱部３０の第１開口部は、外箱部２０により覆われている。
【００７４】
図１３（ａ）及び図１３（ｂ）に示すように、本体３０ａの２つの第１枠部分３３４が真空断熱材４０の第３側面４３ｃ及び第４側面４３ｄをそれぞれ覆う。また、外箱部２０の第２枠部分２２が本体３０ａの第１枠部分３３４を覆い、真空断熱筐体１０の側面を構成する。この側面は、真空断熱筐体１０の外面を構成する外箱部２０の第２壁部分２１の色と同系色に形成されている。このため、真空断熱筐体１０の外面及び側面は、第２枠部分２２及び第２壁部分２１により連続的に見え、引き出し扉１１の意匠性が向上する。
【００７５】
また、第２壁部分２１を第１壁部分３３と異なる材料で形成することができ、これらの選択の自由度が増加する。よって、これらにより側面及び内面が構成される真空断熱筐体１０の意匠性の向上をさらに図ることができる。
【００７６】
さらに、外箱部２０の第２端部分２３が本体３０ａの第１壁部分３３の外面の一部を覆う。この第２端部分２３の先端は本体３０ａの第１壁部分３３の溝部３１よりも第１壁部分３３の外縁側にあるため、第２端部分２３は溝部３１を覆わず、溝部３１にガスケット１２を嵌めることができる。
【００７７】
本体３０ａの第１枠部分３３４の先端面と外箱部２０の第２壁部分２１の内面との間には間隙が設けられており、この間隙は、真空断熱材４０のフランジ４６ｃと封止部材４５との接合部４８を収容する収容部として機能する。このため、接合部４８が外力から保護されて、外力による接合部４８の破損及び剥離がなく、これらによる真空断熱材４０の断熱性能の低下を抑制することができる。また、外箱部２０、本体３０ａ、フランジ４６ｃ及び凹状部材４６が互いに接着剤等により接合されていることにより、外箱部２０、真空断熱材４０及び内箱部３０が接続する。
【００７８】
なお、上記説明から、当業者にとっては、本発明の多くの改良や他の実施の形態が明らかである。したがって、上記説明は、例示としてのみ解釈されるべきであり、本発明を実行する最良の態様を当業者に教示する目的で提供されたものである。本発明の要旨を逸脱することなく、その構造及び／又は機能の詳細を実質的に変更できる。また、上記実施の形態に開示されている複数の構成要素の適宜な組合せにより種々の発明を形成できる。
【産業上の利用可能性】
【００７９】
本発明に係る真空断熱筐体では、美観の向上を図ることができる真空断熱筐体などとして有用である。
【符号の説明】
【００８０】
１０    ：真空断熱筐体
２０    ：外箱部
２１    ：第２壁部分
２２    ：第２枠部分
３０    ：内箱部
３３    ：第１壁部分（壁部分）
３４    ：第１枠部分（枠部分）
３４ａ  ：収容部
３４ｂ  ：第１収容部（収容部）
３８    ：第１キャップ（第１枠部分）
３８ｄ  ：収容部
３９ｄ  ：収容部
３９    ：第２キャップ（第１枠部分）
４０    ：真空断熱材
４１    ：第２主面
４２    ：第１主面
４３    ：側面
４４    ：芯材
４５    ：封止部材
４６    ：凹状部材
４６ｃ  ：フランジ
４８    ：接合部
５０    ：枠体
１３０  ：接合部材
１３４  ：第１枠部分（枠部分）
２３４  ：第１枠部分（枠部分）
３３４  ：第１枠部分
【図１】
2019015473.tif 000003
【図２】
2019015473.tif 000004
【図３】
2019015473.tif 000005
【図４】
2019015473.tif 000006
【図５】
2019015473.tif 000007
【図６】
2019015473.tif 000008
【図７】
2019015473.tif 000009
【図８】
2019015473.tif 000010
【図９】
2019015473.tif 000011
【図１０】
2019015473.tif 000012
【図１１】
2019015473.tif 000013
【図１２】
2019015473.tif 000014
【図１３】
2019015473.tif 000015